(57)【要約】  胃リングは、二つの端部（１１、１２）を有し、囲うべき胃部分に単に当接する強固な区分である中間部分（１３）をこれらの端部間に有している。第一端部（１１）は開口部（１１５）を形成し、第二端部（１２）はこの開口部に挿入可能である。第二端部（１２）は、少なくとも二つの異なる位置において、前記開口部（１１５）内で動きを阻止されるのに適しており、それによって、リングの内径（ｄ'1）をその埋め込み条件に適合させることができる。
2009523478.tif 000002
【特許請求の範囲】
【請求項１】
膨張可能部分を持たない胃リング（１）であって、
前記リングは二つの端部（１１、１２）と、前記端部間において、囲うべき胃（Ｅ）の部分（Ｐ）に単に当接するための強固な区分である中間部分（１３）とを有し、
第一端部（１１）は開口部（１１５）を形成し、その開口部（１１５）に第二の端部（１２）を挿入することが可能であり、
前記リングは、少なくとも二つの異なる位置（図６から８）において、前記開口部（１１５）内で前記第二端部（１２）の動きを阻止するための凹凸部分（１１６、Ｖ1からＶ3）を有し、
前記リングは、前記凹凸部分（１１６、Ｖ1、Ｖ2、Ｖ3）に加えて、前記位置のそれぞれにおいて前記開口部（１１５）内で前記第二端部（１２）を固定するための手段（１１１ｃ、１１２ｃ、１２１ｃ、１２２ｃ、１２３ｃ、３）を有し、
前記固定手段は、前記端部の一方（１１）に形成される少なくとも一つのオリフィス（１１１ｃ、１１２ｃ）と、他方の端部（１２）に形成される少なくとも二つの第二オリフィス（１２１ｃ、１２２ｃ、１２３ｃ）とを有し、
前記第二オリフィスの一つは、前記位置のそれぞれにおいて、前記第一オリフィスと位置揃えされ、
前記オリフィスは、前記端部を互いに対して保持するために保持部材（３）を通すためのチャンネルを一緒に形成することを特徴とするリング。
【請求項２】
リングは、前記第一端部（１１）に属する二つの仕切部（１１１、１１２）において形成された二つの第一オリフィス（１１１ｃ、１１２ｃ）を有し、前記開口部（１１５）はその二つの仕切部間で規定され、
前記二つの第一オリフィス（１１１ｃ、１１２ｃ）は、前記開口部の長手方向の軸（Ｘ115）に垂直な方向（Ｙ11）に位置揃えされることを特徴とする請求項１に記載のリング。
【請求項３】
前記開口部（１１５）は、前記リング（１）用に選択された径に応じて、前記第二端部（１２）に形成された複数の補完的な阻止用凹凸部分（Ｖ1、Ｖ2、Ｖ3）の一つと協働するのに適した阻止用凹凸部分（１１６）を備えていることを特徴とする請求項１に記載のリング。
【請求項４】
前記開口部の前記阻止用凹凸部分は、前記開口部（１１５）のエッジ（１１４）から向かい側のエッジ（１１３）の方に突き出ている歯（１１６）であることを特徴とする請求項３に記載のリング。
【請求項５】
前記第二端部（１２）に形成された前記補完的な凹凸部分（Ｖ1、Ｖ2、Ｖ3）は、前記第二端部の長手方向の軸（Ｘ12）に沿って並んで配置された歯（１２１、１２２、１２３）によって形成されていることを特徴とする請求項３に記載のリング。
【請求項６】
前記第二オリフィス（１２１ｃ、１２２ｃ、１２３ｃ）は、前記中間部分（１３）を延長する前記第二端部（１２）の部分（１２６）において、前記第二端部（１２）の前記歯（１２１、１２２、１２３）の位置でそれぞれ形成され、
前記オリフィスは、前記第二端部の長手方向の軸（Ｘ12）に垂直な方向に延びていることを特徴とする請求項５に記載のリング。
【請求項７】
前記歯（１１６、１２１、１２２、１２３）は、それぞれ前記開口部（１１５）の中間軸（Ｘ115）に対しておよび前記第二端部（１２）の長手方向の軸（Ｘ12）に対して、リングの締め付けに対応した方向に前記開口部内を進む前記第二端部に対応する方向に傾斜した、傾斜面（１１６ｂ、１２１ｂ、１２２ｂ、１２３ｂ）を有することを特徴とする請求項５に記載のリング。
【請求項８】
前記歯（１１６、１２１、１２２、１２３）は、それぞれ前記開口部（１１５）の中間軸（Ｘ115）に対しておよび前記第二端部（１２）の長手方向の軸（Ｘ12）に対して垂直な面（１１６ａ、１２１ａ、１２２ａ、１２３ａ）を有し、
前記面は、前記第二端部が前記位置の一つにおいて前記開口部内で動きを阻止されるときに互いに当接することを特徴とする請求項７に記載のリング。
【請求項９】
前記第二端部（１２）に形成された二つの隣接する歯（１２１、１２２、１２３）の間で規定された容積（Ｖ1、Ｖ2）は、前記開口部（１１５）のエッジ（１１４）から突き出た歯（１１６）とほぼ補完的であることを特徴とする請求項４から８のいずれか一項に記載のリング。
【請求項１０】
前記中間部分（１３）は、その長手方向のエッジ（１３１、１３２）のそれぞれにおいて、くくり用縫合糸（４）を通すためのオリフィス（１３５、１３６）を備えており、
前記オリフィスは、前記第二端部（１２）が前記位置の一つにおいて前記開口部（１１５）内で動きを阻止されるときに、直径方向のほぼ向かい側にあることを特徴とする請求項１から９のいずれかに記載のリング。
【発明の詳細な説明】
【技術分野】
【０００１】
本発明は、胃形成の手術用に使用される胃リングに関する。そのようなリングは、肥満治療において調整、狭窄効果を与えるために、胃の一部を囲むように設計される。
【背景技術】
【０００２】
一例として、フランス国特許出願公開第２，７９９，１１８号（ＦＲ−Ａ−２，７９９，１１８）は、そのようなリングによって得られる胃の狭窄に要求される径に応じて膨張可能な、生理液体で満たされた袋を備えた胃リングを開示している。袋の膨張を制御することは比較的複雑であり、汚染あるいは洩れの危険性と関連して、皮下の囲いを利用することが必要とされる。
【０００３】
国際公開第０２／０９６３２６号（ＷＯ−Ａ−０２／０９６３２６）は、リング端の間の主部分において胃壁に当接するように設計された膨張可能な部分を持たない胃リングを提供することによって、それらの欠点を軽減させている。そのようなリングは完全に効果があるものの、閉じられた配置におけるリングの内径は調整することができない。残念ながら、患者の形態、異なる胃壁厚、患者の食習慣、および患者の精神的側面に応じて、異なる調整、狭窄の径を利用することが必要であり、そのために従来技術のリングを様々なサイズで提供する必要がある。
【特許文献１】フランス国特許出願公開第２，７９９，１１８号明細書
【特許文献２】国際公開第０２／０９６３２６号パンフレット
【発明の開示】
【０００４】
本発明が特に求めているものは、制御すべき膨張可能部分を要求せず、異なる埋め込み配置に適合させるために、リングを設置している間に変更可能な内径を提供する胃リングを提供することによって、それらの欠点を是正することである。
【０００５】
この目的を達成するために、本発明は膨張可能な部分を持たない胃リングに関する。このリングは二つの端部を有しており、囲うべき胃の部分に単に当接する強固な区分の中間部分をこれらの端部間に有している。そのリングの第一端部は開口部を形成しており、第二端部をこの開口部に挿入することができる。リングは、第二端部が、少なくとも二つの異なる位置において上述の開口部内で固定して保持されるのに適していることを特徴としている。
【０００６】
本発明によって、胃リングの内径は、その利用配置において、位置に応じて変化させることができ、その第二端部はその位置において第一端部の開口部内で動きを阻止される。これによって、胃リングの内径を迅速に安心して調整することができる。
【０００７】
有利であるが本質的ではない本発明の態様にしたがって、そのようなリングは以下の特徴の一つ或いは二つ以上を含んでいる。
・リングは、上述の各位置での開口部において第二端部の動きを阻止するための凹凸部分を有しており、この凹凸部分に加えて、リングは、上述の各位置での開口部において第二端部を固定するための固定手段を有している。
・固定手段は、一方の端部に形成される少なくとも一つの第一オリフィスと、他方の端部に形成される少なくとも二つの第二オリフィスとを有し、第二オリフィスの一つは上述の各位置において第一オリフィスと位置揃えされ、これらのオリフィスはその後ともにチャンネルを形成し、リングの端部を互いに対して保持するために、部材をそのチャンネルに貫通させることができる。
・第一端部における開口部は、阻止用凹凸部分を備えている。この阻止用凹凸部分は、リング用に選択される径に応じて、第二端部に形成される一つ或いは二つ以上の補完的な阻止用凹凸部分と協働するのに適している。
・開口部を阻止するための凹凸部分は、開口部の端から向かい側のエッジの方向に突き出ている歯である。
・第二端部に形成される補完的な凹凸部分は、第二端部の長手方向の軸に沿って並んで配置された歯によって形成される。
・開口部および第二端部における歯は、開口部の中間軸に対しておよび第二端部の長手方向の軸に対して、リングを締め付けるために第二端部を動かして開口部を貫通させるのに対応した方向に傾いた面をそれぞれ有している。
・歯はそれぞれ、開口部の中間軸におよび第二端部の長手方向の軸に垂直な面を有し、これらの面は、上述の位置の一つにおいて第二端部が第一端部の開口部内で動きを阻止されている時に、互いに当接する。
・第二端部に形成された二つの隣接する歯の間で規定された容積は、開口部の端から突き出た歯と形状においてほぼ補完的である。
・リングの中間部分は、その長手方向の各エッジにおいて、くくり用縫合糸を通すためのオリフィスを備えており、これらのオリフィスは、上述の位置の一つにおいて第二端部が開口部内で動きを阻止されるとき直径方向のほぼ向かい側に位置する。
【０００８】
例によって純粋に与えられ、添付の図に関連して与えられる本発明の原理にしたがった胃リングの実施態様の以下の記載を考慮すれば、本発明はより良く理解され、本発明の他の利点もより明確になるであろう。
【０００９】
図１から９に示されたリング１は、エラストマー材料の単一の成形品である。リング１は、図２に示されるような開位置から、図１、図３〜６、および図９に示された閉位置にすることを可能にする、ある程度の量の弾性を示す。これらの図において、リングは、患者の胃Eの一部分Pを囲む或いは絞ることを可能にする環形状を示している。部分Pは、胃において切除部Dを作り出すことによって得られる。
【００１０】
リング１は、概して、第一端部１１および第二端部１２を有する細長片の形態である。第一端部１１と第二端部１２との間には、内面を介して部分Ｐに当接するとともに部分Ｐを囲うように設計された、膨張可能な部分を持たない強固な区分の中間部分１３が規定される。
【００１１】
端部１１は、部分１３の延長部１１３から延びる二つの仕切部１１１を端部１１において有しており、二つの仕切部１１１はバー１１４によって相互接続される。要素１１１から１１４は、このように、開口部１１５の長手方向の軸Ｘ115に平行に測られたバー１１４の長さに亘るトンネルの形態で開口部１１５を規定する。
【００１２】
延長部１１３に面した内面において、バー１１４は、軸Ｘ115にほぼ垂直な面１１６ａとこの軸に対して約４０°の角度αだけ傾斜した面１１６ｂとの間で規定された歯１１６を備えている。実際には、角度αは３０°から６０°の範囲にある値を有しても良い。面１１６ｂの方向は、部分１３から離れる方に向かう開口部１１５の入口サイド１１５ａに近づくことによってバー１１４に近づくような方向である。
【００１３】
端部１２は、部分１３に沿って延びている。参照Ｘ12は、端部１２の湾曲の性質を考慮すると、図６から８の面において湾曲している長手方向の軸を指定している。端部１２は、三つの歯１２１、１２２および１２３を有しており、これらの歯はそれぞれ端部１２の外側に形成されているとともに、端部１２の自由エッジ１２４から始まり軸Ｘ12後方に並んで続いている。歯１２１は、このエッジ１２４に最も近く、歯１２３はそのエッジから最も遠い。
【００１４】
歯１２１は、軸Ｘ12にほぼ垂直な面１２１ａと、この軸に対して約４０°の角度βだけ傾斜した面１２１ｂとの間で規定される。実際には、角度βの値は角度αの値と等しく、３０°から６０°の範囲である。面１２１ｂは、エッジ１２４の方向に向かって、端部１２の部分１２６に接近しており、歯１２１から１２３は部分１２６から延びているとともに部分１２６は部分１３を延長する。
【００１５】
歯１２２および１２３は、歯１２１とほぼ同じ形状であり、それぞれ、軸Ｘ12にほぼ垂直な面１２２ａおよび１２３ａと、この軸に対して同一の角度βだけ傾斜していて面１２１ｂと同じ方向の面１２２ｂおよび１２３ｂとの間で同様に規定される。
【００１６】
歯１２１および１２２は、それらの間において、歯１１６の形状とほぼ補完的な形状の容積Ｖ1を規定している。同様に、歯１２２および１２３は、歯１１６の形状とほぼ補完的な形状の容積Ｖ2を規定している。
【００１７】
端部１２は、自由エッジ１２４と歯１２１との間に形成される孔１２５も備えており、この孔に図６から８においてのみ破線で示された縫合糸２を挿入することができる。この縫合糸は端部１２に牽引力Fを及ぼす。変形として、この縫合糸は、端部１２に牽引力を与えるための別の手段、例えばシリコンカテーテルを構成するループによって置き換えても良い。さらに、端部１２が一体の引き手リングとともに成形されるという想定も可能である。
【００１８】
したがって、図２の配置から初めて、部分１３と向かい側にあって図３において見ることができる端部１２のエッジ１２４を、開口部１１５のサイド１１５ａを介して開口部１１５に挿入することができる。縫合糸２を開口部１１５に通すことによって、図２に見られる開口部１１５のサイドから縫合糸を回収して、その後縫合糸２によって力Ｆを与えることによって端部１２を引くことが可能であり、それによって面１２１ｂを面１１６ｂに当接させることができる。軸Ｘ115およびＸ12のそれぞれに対する面１１６ｂおよび１２１ｂの傾斜方向を考慮すると、面１１６ｂおよび１２１ｂの傾斜方向が、力Ｆからの駆動の下で開口部１１５を通って前進する端部１２と適合するならば、端部１１および１２の特定の構成部分を弾性変形させることによって、滑り運動を歯１１６と１２１との間で発生させることが可能である。
【００１９】
これによって、図７に見られるように、歯１２１が開口部１５を貫通して端部１２をリング１の第一の閉配置に至らせることを可能にする。この配置においては、リング１の平均内径は、第一の値ｄ1である。その後、歯１１６は容積Ｖ1に係合し、面１１６ａが歯１２１の面１２１ａに当接することによって、先に実行された動きと反対方向に端部１２を開口部１１５から引き出すことが完全に阻止される。容積Ｖ1が形状において歯１１６とほぼ補完的であるという事実によって、得られる阻止効果はさらに改善される。
【００２０】
もし外科医が必要と判断したならば、力Ｆを引き続き加えることによって、端部１２が図３から６の位置に達するように、端部１２は開口部１１５内にさらに動かされる。この位置において、歯１１６は容積Ｖ2に係合する。そして、リング１の内径は値ｄ1よりも小さい値ｄ'1を有する。
【００２１】
もしさらに小さい平均径が得られることが必要ならば、端部１１２を開口部１１５内にさらにもっと深く係合させて図８の位置に達するように、力Ｆを引き続き加えることが可能である。その位置において、歯１１６は、エッジ１２４と向かい側の歯１２３に隣接する容積Ｖ3内において、歯１２３の面１２３ａに当接する。そして、リング１の内径は値ｄ'1よりも小さい値ｄ''1を有する。
【００２２】
リング１の平均径は、部分１３と、リングの閉位置において相互に係合する端部１１および１２とによって形成されるほぼ円形の閉環の平均径に等しいが、環は厳密に円形ではないことは理解されるであろう。
【００２３】
このように、端部１１および１２にそれぞれ備わっている歯１１６および１２１から１２３は、図６から８にそれぞれ示された三つの配置のそれぞれにおいて、端部１１２を開口部１１５に対して固定して保持することを可能にし、それによって、閉配置にあるときにリング１の内径を埋め込み条件に適合させることができる。
【００２４】
各仕切部１１１および１１２は、それぞれオリフィス１１１ｃおよび１１２ｃによって孔を開けられており、これらのオリフィスは軸１１５に垂直な方向Ｙ11に位置揃えされる。
【００２５】
さらに、端部１１１は、部分１３を延長している端部１２の部分１２６において、歯１２１から１２３に一致してそれぞれ形成される三つの孔１２１ｃ、１２２ｃ、および１２３ｃを備えている。
【００２６】
孔１２１ｃ、１２２ｃ、および１２３ｃは、軸Ｘ12に垂直方向に延びており、これらの孔は歯１２１および１２２に対して、オリフィス１２１ｃは図７に示される配置において方向Ｙ11に揃えられ、一方、オリフィス１２２ｃは図６の配置において方向Ｙ11に揃えられ、オリフィス１２３ｃは図８の配置において方向Ｙ11に揃えられるるように配置される。
【００２７】
このように、図６から８に示される各配置において、孔１２１ｃ、１２２ｃ、および１２３ｃの一つは、オリフィス１１１ｃおよび１１２ｃと協働してチャンネルを形成し、そのチャンネルに端部１１および１２を保持或いは固定する手段を挿入することが可能である。例えば、図１および９のみに見られるように、得られたチャンネルに縫合糸３を挿入することができ、その後に端部１１および１２の周りに縫合糸を結び、そして端部が互いに対して動かないように保持されて固定される。
【００２８】
変形において、縫合糸の代わりに、ステープルを或いは胃壁を傷つける危険性のない他のあらゆる停止手段を使用することが可能である。
【００２９】
本発明の示されていない変形においては、三つの隣接するオリフィスを仕切部１１１および１１２に形成した状態で、端部１２に単一の孔を備えることができ、端部１２におけるこの孔は、選択された固定位置に応じて、保持部材を通すためのチャンネルを形成するためにオリフィスのセットの一つと一致させられる。
【００３０】
あらゆる状況下において、端部１２に形成される孔は、端部１１および１２を互いに対して固定する結紮具或いは部材を通すためのオリフィスを構成する。
【００３１】
参照Ｐ1は、図６の断面が取られる平面を構成するリング１の中央平面を示している。軸Ｘ115およびＸ12はこの平面内にある。部分１３は、その長手方向の端部１３１および１３２の各々において並びに平面Ｐ1のいずれかの側において、それぞれ突起部１３３、１３４を備えている。この突起部１３３、１３４には、胃の部分Ｐにリング１をくくるための縫合糸を通すためのオリフィス１３５、１３６がそれぞれ形成されている。これらのオリフィス１３５および１３６は、リングが閉配置にあるときに、直径方向のほぼ向かい側にある。これらのオフィリスは、くくり用縫合糸４を設置して部分Ｐに対して動きを阻止するために、リング１を配置するために使用される方法に無関係に、これらのオリフィスの一つが外科医にアクセス可能となるように、平面Ｐ1の両側に位置する。
【００３２】
オリフィス１３５および１３６のこの配置は、外科医の仕事を容易にさせる。図１および９に示されるように、リング１の設置方向に応じて、もし、外科医がこれらの図が見られる方向から胃Ｅに近づくことが想定されるならば、外科医は、部分Ｐにリング１をくくるために、オリフィス１３５（図１）或いはオリフィス１３６（図９）を利用することができる。
【００３３】
リング１は、図１の配置において見られるように、そのオリフィス１３５を外科医にアクセス可能とさせると同時に、端部１１および１２を切除部Dに係合させて埋め込むこともできる。
【００３４】
本発明は、端部１１に対して端部１２の動きを阻止することを可能にする三つの固定位置を有するリング１に関連して、上記に述べられている。しかしながら、本発明は、わずか二つの固定位置を備えたリングに適用可能であり、或いは反対に、３つよりも多い固定位置を備えたリングにも適用可能である。端部１２における歯の数は、取得が望まれる固定位置の数に適合される。
【００３５】
本発明は、垂直方向の調整された胃形成手術に使用されるリングに対して示されている。しかしながら、本発明は、胃を短絡する目的で吻合の前に胃の一部を調整する際に使用されるリングに、或いは、患者の幽門を調整するために使用されるリングに適用可能である。
【図面の簡単な説明】
【００３６】
【図１】本発明にしたがった、胃に埋め込まれた胃リングの略図である。
【図２】開配置における図１のリングの斜視図である。
【図３】別の角度から見た図１のリングの斜視図である。
【図４】図１および３の配置におけるリングの側面図である。
【図５】図１、３および４の配置におけるリングの正面図である。
【図６】図５のラインＶＩ−ＶＩに沿った断面図である。
【図７】リングが別の利用配置にあるときの図６に類似した断面図である。
【図８】リングがさらに別の利用配置にあるときの図６に類似した断面図である。
【図９】先の図のリングを埋め込むための別配置の略図である。
【図１】
2009523478.tif 000003
【図２】
2009523478.tif 000004
【図３】
2009523478.tif 000005
【図４】
2009523478.tif 000006
【図５】
2009523478.tif 000007
【図６】
2009523478.tif 000008
【図７】
2009523478.tif 000009
【図８】
2009523478.tif 000010
【図９】
2009523478.tif 000011
【手続補正書】
【提出日】平成20年9月17日(2008.9.17)
【手続補正１】
【補正対象書類名】明細書
【補正対象項目名】０００５
【補正方法】変更
【補正の内容】
【０００５】
この目的を達成するために、本発明は拡張可能な部分を持たない胃リングに関する。このリングは二つの端部を有しており、囲まれる胃の部分に容易に当接する頑丈な区分の中間部分をこれらの端部間に有している。そのリングの第一端部は開口部を形成しており、第二端部をこの開口部に挿入することができ、このリングは少なくとも二つの異なる位置において、第二端部を上述の開口部内で動きを阻止するための凹凸部分を有している。このリングは、前記凹凸部分に加えて、上述の各位置において、第二端部を開口部内で固定するための固定手段を有しており、この固定手段は、一方の端部に形成される少なくとも一つのオリフィスと他方の端部に形成される少なくとも二つの第二オリフィスとを有しており、第二オリフィスの一つは上述の各位置において第一オリフィスと位置揃えされ、これらのオリフィスはその後チャンネルを形成し、リングの端部を互いに対して保持するために部材をそのチャンネルに貫通させることができる。
【手続補正２】
【補正対象書類名】明細書
【補正対象項目名】０００７
【補正方法】変更
【補正の内容】
【０００７】
有利であるが本質的ではない本発明の態様にしたがって、そのようなリングは以下の特徴の一つ或いは二つ以上を含んでいる。
・リングは、第一端部に属する二つの仕切部に二つの第一オリフィスを有し、その仕切部間で前記開口部が規定され、他方、この二つの第二オリフィスは開口部の長手方向の軸に垂直な方向に位置揃えされる。
・第一端部における開口部は、阻止用凹凸部分を備えている。この阻止用凹凸部分は、リング用に選択される径に応じて、第二端部に形成される一つ或いは二つ以上の補完的な阻止用凹凸部分と協働するのに適している。
・開口部を阻止するための凹凸部分は、開口部の端から向かい側のエッジの方向に突き出ている歯である。
・第二端部に形成される補完的な凹凸部分は、第二端部の長手方向の軸に沿って並んで配置された歯によって形成される。
・第二オリフィスは、中間部分を延長している第二端部の部分において、第二端部の歯の位置にそれぞれ形成され、他方、このオリフィスは第二端部の長手方向の軸に垂直な方向に延びている。
・開口部および第二端部における歯は、開口部の中間軸に対しておよび第二端部の長手方向の軸に対して、リングを締め付けるために第二端部を動かして開口部を貫通させるのに対応した方向に傾いた面をそれぞれ有している。
・歯はそれぞれ、開口部の中間軸におよび第二端部の長手方向の軸に垂直な面を有し、これらの面は、上述の位置の一つにおいて第二端部が第一端部の開口部内で動きを阻止されている時に、互いに当接する。
・第二端部に形成された二つの隣接する歯の間で規定された容積は、開口部の端から突き出た歯と形状においてほぼ補完的である。
・リングの中間部分は、その長手方向の各エッジにおいて、くくり用縫合糸を通すためのオリフィスを備えており、これらのオリフィスは、上述の位置の一つにおいて第二端部が開口部内で動きを阻止されるとき直径方向のほぼ向かい側に位置する。
【国際調査報告】
2009523478.tif 000012
2009523478.tif 000013
2009523478.tif 000014
2009523478.tif 000015
2009523478.tif 000016
2009523478.tif 000017